(57)【要約】【課題】長期間の使用を確保することができる画像形成装置を提供する。【解決手段】デジタル複合機１１は、ギア５２、ボス部５３、およびベース部５４を含むギア支持構造５１を備える。ボス部５３の外径面６１は、ベース部５４のうちのボス部５３が設けられた側に位置する一方面５８に垂直な方向に延びる第一の外径面６２ａと、第一の外径面６２ａのうちのベース部５４側の端部６３ａからボス部５３の外径が大きくなるように傾斜して延びる第二の外径面６２ｂとを含む。ギア５２の内径面６４は、第一の外径面６２ａに対向する領域において、ギア５２の厚み方向に真っ直ぐに延び、第一の外径面６２ａに沿う形状の第一の内径面６５ａと、第二の外径面６２ｂに対向する領域において、第二の外径面６２ｂに沿う形状に傾斜した第二の内径面６５ｂとを含む。ボス部５３の外径面６１と一方面５８との境界領域には、耐油性を有する物質の層から構成される耐油性物質層６９が設けられている。【選択図】図５
2016206519.tif 000002
【特許請求の範囲】
【請求項１】
厚み方向に貫通し、丸孔状であって回転中心となる貫通孔が設けられたギア、前記貫通孔に挿通され、前記ギアを回転可能に支持するボス部、および前記ボス部が一方面から突出するように設けられるベース部を含むギア支持構造を備える画像形成装置であって、
前記ボス部の外径面は、前記ベース部のうちの前記ボス部が設けられた側に位置する一方面に垂直な方向に延びる第一の外径面と、前記第一の外径面のうちの前記ベース部側の端部から前記ボス部の外径が大きくなるように傾斜して延びる第二の外径面とを含み、
前記ギアの内径面は、前記第一の外径面に対向する領域において、前記ギアの厚み方向に真っ直ぐに延び、前記第一の外径面に沿う形状の第一の内径面と、前記第二の外径面に対向する領域において、前記第二の外径面に沿う形状に傾斜した第二の内径面とを含み、
前記ボス部の外径面と前記一方面との境界領域には、耐油性を有する物質の層から構成される耐油性物質層が設けられている、画像形成装置。
【請求項２】
前記ボス部の外径面は、前記第二の外径面のうちの前記ベース部側の端部から前記一方面に垂直な方向に延びる第三の外径面を含む、請求項１に記載の画像形成装置。
【請求項３】
前記第一の外径面に対して鋭角に延びる前記第二の外径面の角度は、４５度以下である、請求項１または２に記載の画像形成装置。
【請求項４】
前記耐油性物質層は、前記ギアと前記ボス部との非接触領域に設けられる、請求項１〜３のいずれか１項に記載の画像形成装置。
【請求項５】
前記耐油性物質層は、フッ素樹脂層を含む、請求項１〜４のいずれか１項に記載の画像形成装置。
【請求項６】
前記耐油性物質層の厚みは、１０μｍ以上１００μｍ以下である、請求項１〜５のいずれか１項に記載の画像形成装置。
【請求項７】
トナーによる可視画像がその上に形成された記録媒体にトナーを定着させる定着装置を含み、
前記ギア支持構造は、前記定着装置に備えられる、請求項１〜６のいずれか１項に記載の画像形成装置。
【発明の詳細な説明】
【技術分野】
【０００１】
この発明は、画像形成装置に関するものである。
【背景技術】
【０００２】
デジタル複合機等に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナー等の現像剤を供給して可視画像とした後、用紙に転写し、画像形成装置に備えられる定着装置によって定着させ、装置外に排出する。
【０００３】
ここで、画像形成装置においては、感光体や現像ローラーといった回転体が多く備えられる。回転体を回転させるために用いられるギアに関する技術が、特開平８−９５３２６号公報（特許文献１）、および特許第４２３９１００号（特許文献２）に開示されている。
【先行技術文献】
【特許文献】
【０００４】
【特許文献１】特開平８−９５３２６号公報
【特許文献２】特許第４２３９１００号
【発明の概要】
【発明が解決しようとする課題】
【０００５】
ギアを支持するボス部やボス部が設けられているベース部材については、量産性の観点から、プラスチック部材で構成されることがある。また、回転体が設けられる箇所においては、円滑な回転の確保の観点から、グリス等の潤滑油が用いられる。
【０００６】
ここで、回転時における応力が集中する箇所にグリスが付着してしまうと、いわゆるプラスチック部材のケミカル破壊を促進させてしまうことになる。このような状況は、ギア支持構造の長期間の使用が望まれる場合に好ましくない。このような場合に、上記した特許文献１〜２に開示の技術では、対応することができない。
【０００７】
この発明の目的は、長期間の使用を確保することができる画像形成装置を提供することである。
【課題を解決するための手段】
【０００８】
この発明の一の局面においては、画像形成装置は、ギア、ボス部、およびベース部を含むギア支持構造を備える。ギアは、厚み方向に貫通し、丸孔状であって回転中心となる貫通孔が設けられている。ボス部は、貫通孔に挿通され、ギアを回転可能に支持する。ベース部は、ボス部が一方面から突出するように設けられる。ボス部の外径面は、ベース部のうちのボス部が設けられた側に位置する一方面に垂直な方向に延びる第一の外径面と、第一の外径面のうちのベース部側の端部からボス部の外径が大きくなるように傾斜して延びる第二の外径面とを含む。ギアの内径面は、第一の外径面に対向する領域において、ギアの厚み方向に真っ直ぐに延び、第一の外径面に沿う形状の第一の内径面と、第二の外径面に対向する領域において、第二の外径面に沿う形状に傾斜した第二の内径面とを含む。ボス部の外径面と一方面との境界領域には、耐油性を有する物質の層から構成される耐油性物質層が設けられている。
【発明の効果】
【０００９】
このような画像形成装置によると、ボス部の外径面は、ベース部のうちのボス部が設けられた側に位置する一方面に垂直な方向に延びる第一の外径面と、第一の外径面のうちのベース部側の端部からボス部の外径が大きくなるように傾斜して延びる第二の外径面とを含むため、ギアの回転時においてボス部側への応力の集中を緩和することができる。また、ボス部の外径面と一方面との境界領域には、耐油性を有する物質の層から構成される耐油性物質層が設けられているため、この境界領域におけるグリスの付着のおそれを低減することができる。したがって、この境界領域におけるケミカル破壊のおそれを大きく低減することができる。その結果、このようなギア支持構造を備える画像形成装置は、長期間の使用を確保することができる。
【図面の簡単な説明】
【００１０】
【図１】この発明の一実施形態に係る画像形成装置をデジタル複合機に適用した場合のデジタル複合機の外観を示す概略図である。
【図２】この発明の一実施形態に係る画像形成装置をデジタル複合機に適用した場合のデジタル複合機の構成を示すブロック図である。
【図３】図１に示すデジタル複合機に含まれる画像形成部の構成を示す概略図である。
【図４】この発明の一実施形態に係るデジタル複合機に備えられる定着装置を上方側から見た概略図である。
【図５】この発明の一実施形態に係るデジタル複合機に備えられる定着装置に含まれるギア支持構造を示す断面図である。
【図６】この発明の他の実施形態に係るデジタル複合機に備えられる定着装置に含まれるギア支持構造を示す断面図である。
【発明を実施するための形態】
【００１１】
以下、この発明の実施の形態を説明する。図１は、この発明の一実施形態に係る画像形成装置をデジタル複合機に適用した場合のデジタル複合機の外観を示す概略図である。図２は、この発明の一実施形態に係る画像形成装置をデジタル複合機に適用した場合のデジタル複合機の構成を示すブロック図である。
【００１２】
図１および図２を参照して、デジタル複合機１１は、制御部１２と、操作部１３と、画像読み取り部１４と、画像形成部１５と、用紙セット部１９と、排出トレイ３０と、格納部としてのハードディスク１６と、ファクシミリ通信部１７と、ネットワーク２５と接続するためのネットワークインターフェース部１８とを備える。
【００１３】
制御部１２は、デジタル複合機１１全体の制御を行う。操作部１３は、デジタル複合機１１側から発信する情報やユーザーの入力内容を表示する表示画面２１を含む。操作部１３は、印刷部数や階調等の画像形成の条件や電源のオンまたはオフを入力させる。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または載置台上にセットされた原稿の画像を読み取る。用紙セット部１９は、手差しで用紙をセットする手差しトレイ２８やサイズの異なる複数枚の用紙を収納可能な給紙カセット群２９を含む。用紙セット部１９は、画像形成部１５に供給する用紙をセットさせる。画像形成部１５は、トナーにより可視画像を形成する現像装置３１を含む。画像形成部１５は、画像読み取り部１４により読み取られた画像やネットワーク２５を介して送信された画像データを基に、用紙セット部１９から搬送されてきた用紙に画像を形成する。画像形成部１５により画像を形成された用紙は、排出トレイ３０に排出される。ハードディスク１６は、送信された画像データや入力された画像形成条件等の格納を行う。ファクシミリ通信部１７は、公衆回線２４に接続されており、ファクシミリ送信やファクシミリ受信を行う。
【００１４】
なお、デジタル複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。なお、図１に示すように、この実施形態においては、給紙カセット群２９は、３つの給紙カセット２３ａ、２３ｂ、２３ｃから構成されている。
【００１５】
デジタル複合機１１は、画像読み取り部１４により読み取られた原稿を用いて画像形成部１５において画像を形成することにより、複写機として作動する。また、デジタル複合機１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、画像形成部１５は、要求された画像を印刷する印刷部として作動する。デジタル複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。デジタル複合機１１は、画像処理に関し、複写機能、プリンター機能、ファクシミリ機能等、複数の機能を有する。さらに、各機能に対しても、詳細に設定可能な機能を有する。
【００１６】
この発明の一実施形態に係るデジタル複合機１１を含む画像形成システム２７は、上記した構成のデジタル複合機１１と、ネットワーク２５を介してデジタル複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、デジタル複合機１１に対して、ネットワーク２５を介して印刷要求を行って印刷をすることができる。デジタル複合機１１とコンピューター２６ａ〜２６ｃとは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、他のデジタル複合機やサーバーが接続されている構成でもよい。
【００１７】
次に、上記した画像形成部１５の構成について、さらに詳細に説明する。図３は、画像形成部１５の概略的な構成を示す図である。図３を参照して、画像形成部１５は、トナー等の現像剤を用いて用紙Ｐに可視画像を形成する現像装置３１を備える。図３中の二点鎖線で示す現像装置３１は、その表面に静電潜像を形成する感光体３２と、感光体３２の表面を帯電させる帯電部３３と、現像スリーブや複数の撹拌ローラーを含み、静電潜像が形成された感光体３２の表面にトナー等の現像剤を供給してトナーによる可視画像を形成する現像器３４と、転写チャージャーや分離チャージャーを含み、感光体３２の表面上に形成された可視画像を、搬送されてきた用紙Ｐに転写する転写部３５と、除電ローラーやクリーニングブレード等を含み、可視画像の用紙Ｐへの転写の後に感光体３２の表面上に残ったトナーや残留電荷等を除去するクリーニング部３６とを備える。感光体３２は、図３中の矢印Ｒ１の方向に回転する。画像形成部１５は、画像読み取り部１４により読み取った画像を基に感光体３２上に静電潜像を形成する。また、画像形成部１５は、感光体３２上に形成された静電潜像に対し、トナーを供給してトナーによる可視画像を形成する。画像形成部１５は、感光体３２に対し、帯電、現像、転写、クリーニングを繰り返して、搬送されてきた用紙Ｐにトナーによる可視画像を形成する。なお、現像装置３１に着脱可能に設けられたトナーコンテナ（図示せず）により、現像によって消費されたトナーが随時現像器３４に供給される。
【００１８】
画像形成部１５は、現像装置３１により用紙Ｐ上に形成されたトナーによる可視画像を用紙Ｐに定着させる定着装置４１を備える。定着装置４１は、トナーを用紙に定着させる際に用紙を加熱する中空状の回転可能な熱ローラー４２と、トナーを用紙に定着させる際に用紙を加圧する中実状の回転可能な圧ローラー４３と、熱ローラー４２の内方側に配置されており、熱ローラー４２を加熱する第一のヒーター４４ａおよび第二のヒーター４４ｂと、圧ローラー４３を回転させるギア支持構造５１とを含む。
【００１９】
なお、画像形成部１５には、現像装置３１と定着装置４１との間に設けられる搬送ベルト３７、および複数の搬送ローラー３８ａ、３８ｂ、３８ｃ、３８ｄ、３８ｅが設けられている。例えば、手差しトレイ２８にセットされた用紙Ｐは、搬送ローラー３８ａ〜３８ｅによって、用紙搬送路３９ａ、３９ｂ、３９ｃ、３９ｄを搬送され、排出トレイ３０に排出される。また、給紙カセット２３ａ〜２３ｃ内にセットされた用紙Ｐは、搬送ローラー３８ｂ〜３８ｅによって、用紙搬送路３９ｂ〜３９ｄを搬送され、排出トレイ３０に排出される。
【００２０】
次に、このデジタル複合機１１に備えられる定着装置４１に含まれるギア支持構造５１の構成について説明する。図４は、この発明の一実施形態に係るデジタル複合機１１に備えられる定着装置４１を上方側から見た概略図である。図５は、この発明の一実施形態に係るデジタル複合機１１に備えられる定着装置４１に含まれるギア支持構造５１を示す断面図である。
【００２１】
図１〜図５を参照して、定着装置４１は、圧ローラー４３を回転させる回転軸４５と、回転軸４５の一方側の端部に取り付けられ、外径面に歯が設けられているギア４６と、ギア４６と同様に外径面５７に歯が設けられており、ギア４６と噛み合うように設けられているギア５２を支持するギア支持構造５１とを備える。ギア支持構造５１は、ギア５２と、ギア５２を支持するボス部５３と、ボス部５３が設けられているベース部５４とを含む。ベース部５４は、デジタル複合機１１の筐体の一部を構成する。
【００２２】
ギア５２には、厚み方向に貫通し、丸孔状であって回転中心となる貫通孔５６が設けられている。ギア５２は、貫通孔５６の中心を回転中心として回転する。なお、ギア５２の厚み方向は、図５中の矢印Ｄ２で示す方向または逆の方向である。不図示のモーターを駆動源としてギア５２に動力が伝達される。伝達された動力によって回転するギア５２に連動してギア４６が回転し、圧ローラー４３は、回転軸４５を中心として回転する。
【００２３】
ボス部５３は、ベース部５４のうちのボス部５３が設けられた側に位置する一方面５８側から突出するようにして設けられている。ギア５２は、貫通孔５６をボス部５３に挿通させることにより取り付けられる。ボス部５３は、ギア５２を回転可能に支持する。一方面５８に垂直な方向におけるベース部５４の一方面５８からのボス部５３の突出量は、ギア５２の厚みよりも長く構成されている。すなわち、一方面５８に垂直な方向におけるベース部５４の一方面５８からのボス部５３の突出量を長さＬ１とし、ギア５２の厚みを長さＬ２とすると、Ｌ１＞Ｌ２の関係となる。一方面５８に垂直な方向は、図５中の矢印Ｄ２で示す方向または逆の方向である。
【００２４】
ボス部５３の外径面６１は、一方面５８に垂直な方向に延びる第一の外径面６２ａと、第一の外径面６２ａのうちのベース部５４側の端部６３ａからボス部５３の外径が大きくなるように傾斜して延びる第二の外径面６２ａと、第二の外径面６２ａのうちのベース部５４側の端部６３ｂから一方面５８に垂直な方向に延びる第三の外径面６２ｃとを含む。すなわち、第一の外径面６２ａと第三の外径面６２ｃは共に、一方面５８に垂直な方向に延びている。また、第二の外径面６２ｂは、一方面５８に対して傾斜して延びている。第一の外径面６２ａと第二の外径面６２ｂとのなす角度は、図５中の角度Ａ１で示される。角度Ａ１については、４５度以下とする。具体的には、図５に示す場合、角度Ａ１は、３０度である。第一の外径面６２ａにおける外径は、図５中の長さＬ３で示される。第一の外径面６２ａに対向する領域における貫通孔５６の内径は、図５中の長さＬ４で示される。第三の外径面６２ｃにおける外径は、図５中の長さＬ５で示される。長さＬ３、長さＬ４、長さＬ５の関係については、Ｌ３＜Ｌ４＜Ｌ５となる。
【００２５】
ギア５２の内径面６４は、第一の外径面６２ａに対向する領域において、ギア５２の厚み方向に真っ直ぐに延び、第一の外径面６２ａに沿う形状の第一の内径面６５ａと、第二の外径面６２ｂに対向する領域において、第二の外径面６２ｂに沿う形状に傾斜した第二の内径面６５ｂとを含む。第二の内径面６５ｂは、第一の内径面６５ａのうちのベース部５４側の端部６６ａから連なって設けられている。
【００２６】
ギア５２の貫通孔５６にボス部５３を挿入した際に、第二の外径面６２ｂ、および第二の内径面６５ｂが同じ方向に傾斜しており、ボス部５３の突出量がギア５２の厚みよりも長いので、ギア５２のうちのベース部５４側の面６７と、一方面５８との間には、隙間６８を有する。
【００２７】
ボス部５３の外径面６１と一方面５８との境界領域には、耐油性を有する物質の層から構成される耐油性物質層６９が設けられている。具体的には、ボス部５３の外径面６１を構成する第三の外径面６２ｃと、一方面５８のうちのボス部５３が突出する角部５９の周辺の領域である。耐油性物質層６９は、ギア５２とボス部５３との非接触部分に設けられる。この場合、隙間６８が形成される領域に設けられている。図５中の長さＬ６で示される耐油性物質層６９の厚みは、１０μｍ以上１００μｍ以下となるよう構成されている。また、図５中の長さＬ７で示される耐油性物質層６９が形成されている領域の幅は、図５中の長さＬ８で示されるギア５２の径よりも小さい。
【００２８】
耐油性物質層６９は、具体的には、フッ素樹脂層から構成されている。耐油性物質層６９は、フッ素樹脂をコートするようにして塗布されることにより形成されている。
【００２９】
このような構成によると、ボス部５３の外径面６１は、ベース部５４のうちのボス部５３が設けられた側に位置する一方面５８に垂直な方向に延びる第一の外径面６２ａと、第一の外径面６２ａのうちのベース部５４側の端部６３ａからボス部５３の外径が大きくなるように傾斜して延びる第二の外径面６２ｂとを含むため、ギア５２の回転時においてボス部５３側への応力の集中を緩和することができる。また、ボス部５３の外径面６１と一方面５８との境界領域には、耐油性を有する物質の層から構成される耐油性物質層６９が設けられているため、この境界領域におけるグリスの付着のおそれを低減することができる。したがって、この境界領域におけるケミカル破壊のおそれを大きく低減することができる。その結果、このようなギア支持構造５１を備えるデジタル複合機１１は、長期間の使用を確保することができる。
【００３０】
この場合、耐油性物質層６９は、フッ素樹脂から構成されているため、より確実にグリスの付着の影響によるケミカル破壊のおそれを低減することができる。
【００３１】
また、この場合、耐油性物質層６９の厚みは、１０μｍ以上１００μｍ以下であるため、回転するギア５２への影響を少なくすることができると共に、グリスの付着をより低減することができる。
【００３２】
また、上記の実施の形態においては、耐油性物質層６９は、フッ素樹脂層から構成されていることとしたが、これに限らず、耐油性物質層６９は、耐油性を有する物質であればよく、フッ素樹脂と他の物質とから構成されていてもよい。
【００３３】
なお、上記の実施の形態においては、第三の外径面６２ｃがベース部５４の一方面５８に対して垂直な方向に延びるように設けられることとしたが、これに限らず、ボス部の外径面は、第一の外径面と第二の外径面とから構成されることとしてもよい。
【００３４】
図６は、この場合のギア支持構造７１を示す断面図である。図６は、図５に示す断面に相当し、同一の構成の部材については、同一の符号を付して、それらの説明を省略する。
【００３５】
図１〜図６を参照して、この発明の他の実施形態に係るデジタル複合機１１に備えられる定着装置４１に含まれるギア支持構造７１は、ギア５２と、ボス部７２と、ベース部５４とを含む。ボス部７２の外径面７３は、ベース部５４のうちのボス部７２が設けられた側に位置する一方面５８に垂直な方向に延びる第一の外径面７４ａと、第一の外径面７４ａのうちのベース部５４側の端部７５ａからボス部７２の外径が大きくなるように傾斜して延びる第二の外径面７４ｂとを含む。すなわち、第二の外径面７４ｂと一方面５８とが交わる角部７６は、鈍角となっている。そして、第二の外径面７４ｂと一方面５８の一部に、耐油性物質層７７が設けられている。このように構成してもよい。
【００３６】
なお、上記の実施の形態において、耐油性物質層６９、７７について、角部５９、７６の近辺にのみ塗布するようにして設けるよう構成してもよい。
【００３７】
また、上記の実施の形態においては、ベース部５４とボス部５３、７２との交点について、角部５９、７６を有することとしたが、これに限らず、角部５９、７６を有しない構成としてもよい。例えば、ボス部５３を構成する第三の外径面６２ｃは、ベース部５４の一方面５８に対して曲面で連なるよう構成してもよい。
【００３８】
なお、上記の実施の形態においては、ギア支持構造５１は、定着装置４１に備えられることとしたが、これに限らず、他の回転駆動部、例えば、現像装置３１における現像ローラーを支持する部分や、他の給紙ローラーを支持する部分にも適用される。
【００３９】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４０】
この発明に係る画像形成装置は、長期間の使用の確保が要求される場合に、特に有効に利用される。
【符号の説明】
【００４１】
１１  デジタル複合機、１２  制御部、１３  操作部、１４  画像読み取り部、１５  画像形成部、１６  ハードディスク、１７  ファクシミリ通信部、１８  ネットワークインターフェース部、１９  用紙セット部、２１  表示画面、２２  ＡＤＦ、２３ａ，２３ｂ，２３ｃ  給紙カセット、２４  公衆回線、２５  ネットワーク、２６ａ，２６ｂ，２６ｃ  コンピューター、２７  画像形成システム、２８  手差しトレイ、２９  給紙カセット群、３０  排出トレイ、３１  現像装置、３２  感光体、３３  帯電部、３４  現像器、３５  転写部、３６  クリーニング部、３７  搬送ベルト、３８ａ，３８ｂ，３８ｃ，３８ｄ，３８ｅ  搬送ローラー、３９ａ，３９ｂ，３９ｃ，３９ｄ  用紙搬送路、４１  定着装置、４２  熱ローラー、４３  圧ローラー、４４ａ，４４ｂ  ヒーター、４５  回転軸、４６，５２  ギア、５１，７１  ギア支持構造、５３，７２  ボス部、５４  ベース部、５６  貫通孔、５７，６１，６２ａ，６２ｂ，６２ｃ，７３，７４ａ，７４ｂ  外径面、５８，６７  面、５９，７６  角部、６３ａ，６３ｂ，６６ａ，７５ａ  端部、６４，６５ａ，６５ｂ  内径面、６８  隙間、６９，７７  耐油性物質層。
【図１】
2016206519.tif 000003
【図２】
2016206519.tif 000004
【図３】
2016206519.tif 000005
【図４】
2016206519.tif 000006
【図５】
2016206519.tif 000007
【図６】
2016206519.tif 000008